(57)【要約】      （修正有）【課題】装飾物を取り付け自在とすることにより、コロナ禍において日常的にマスクを着用する各個人の独自性をアピールできるマスク用保持具を提供する。【解決手段】顔面の口や鼻を覆うマスクに連結自在となるマスク用保持具において、紐状体を呈する保持具本体１の両端部にはマスクＭと連結可能となる連結具２を具えると共に、保持具本体１に装飾物Ｃを取付けるための環状部材Ａを設ける。環状部材Ａに装着される装飾物Ｃは、イヤリングなどのアクセサリーと同様に着用者の個性を演出する。【選択図】図１
0003230234.tif 000002
【実用新案登録請求の範囲】
【請求項１】
顔面の口や鼻を覆うマスクに連結自在となるマスク用保持具において、紐状体を呈する保持具本体の両端部には当該マスクと連結可能となる連結具を具えると共に、当該保持具本体に装飾物を取付けるための環状部材を設けることを特徴とするマスク用保持具。
【請求項２】
前記紐状体を呈する保持具本体に具えられる前記連結具に連接する箇所に、前記環状部材を固着することを特徴とする請求項１に記載されるマスク用保持具。
【請求項３】
顔面の口や鼻を覆うマスクに連結自在となるマスク用保持具において、紐状体を呈する保持具本体の先端部は当該マスクと連結可能となる連結具に対しループ状に係合しており、当該連結具に対し係合された当該保持具本体の先端部と当該保持具本体とを被覆する短管状被覆部材に装飾物を取付けるための環状部材を設けることを特徴とするマスク用保持具。
【請求項４】
前記紐状体を呈する保持具本体に具えられる前記連結具に連接する箇所に、前記環状部材を設ける短管状被覆部材を固着することを特徴とする請求項３に記載されるマスク用保持具。
【考案の詳細な説明】
【技術分野】
【０００１】
本考案は、人の顔面の口や鼻を覆うために使用される衛生用マスクの落下、紛失等を防止するために、当該マスクと連結自在のストラップとなるマスク用保持具に関するものである。
【背景技術】
【０００２】
下記の特許文献１及び２にように、従来、マスクと連結自在となるストラップや、マスク自体にアクセサリーを連結可能とする技術が公知となっている。
【先行技術文献】
【特許文献】
【０００３】
【特許文献１】登録実用新案第３０００５００号
【特許文献２】登録実用新案第３０８７５８２号
【考案の概要】
【考案が解決しようとする課題】
【０００４】
しかしながら、着用マスクの落下や紛失等を防止するための実用的ストラップに、装飾用のアクセサリー等を取り付け可能とするようなファッション性に富んだマスク用保持具は皆無であった。
【０００５】
また、昨今のコロナ禍においては、衛生用マスクの着用が日常化しているところ、当該マスクは顔面の口や鼻を覆う形状を呈していることから、耳に装着するイヤリングなどのアクセサリーや、口紅等の化粧品の需要も著しく減退しており、マスク着用という社会的義務を履行しながら、自己のアイデンティティを主張しうる外観的個性を提供するアイテムの必要性は、社会経済的観点からも軽視できない状況に至っている。
【０００６】
なお、携帯機器やカメラなどの落下や紛失等を防止するためのストラップにアクセサリーなどの装飾物を取り付け可能とする部材は、例えば、登録実用新案第３１７３９８０号などの文献に開示されているように公知であるものの、常に顔面に装着することを余儀なくされるマスク用ストラップに装飾物を取り付け可能とする構成は、いきおいその装飾物がマスク着用者の耳もと付近に配置されることになり、本質的に前記のカメラ用ストップ等とは目的を異にするものである。
【０００７】
本考案は、上記の問題点に鑑み、人の顔面に着用するマスクに連結自在となるマスク用保持具において、当該保持具に装飾物を取り付け自在とすることにより、コロナ禍において日常的にマスクを着用する各個人の独自性をアピールできるマスク用保持具の提供を図ったものである。
【課題を解決するための手段】
【０００８】
本考案は請求項１に記載のように、顔面の口や鼻を覆うマスクに連結自在となるマスク用保持具において、紐状体を呈する保持具本体の両端部には当該マスクと連結可能となる連結具を具えると共に、当該保持具本体に装飾物を取付けるための環状部材を設けることを特徴とするマスク用保持具に係るものである。
【０００９】
本考案は請求項２に記載のように、前記紐状体を呈する保持具本体に具えられる前記連結具に連接する箇所に、前記環状部材を固着することを特徴とする請求項１に記載されるマスク用保持具に係るものである。
【００１０】
本考案は請求項３に記載のように、顔面の口や鼻を覆うマスクに連結自在となるマスク用保持具において、紐状体を呈する保持具本体の先端部は当該マスクと連結可能となる連結具に対しループ状に係合しており、当該連結具に対し係合された当該保持具本体の先端部と当該保持具本体とを被覆する短管状被覆部材に装飾物を取付けるための環状部材を設けることを特徴とするマスク用保持具に係るものである。
【００１１】
本考案は請求項４に記載のように、前記紐状体を呈する保持具本体に具えられる前記連結具に連接する箇所に、前記環状部材を設ける短管状被覆部材を固着することを特徴とする請求項３に記載されるマスク用保持具に係るものである。
【考案の効果】
【００１２】
本考案は請求項１乃至請求項４に記載のような構成の採用に基づき、マスクに連結されたマスク保持具に着用者の好みに応じた装飾物などを取り付けることが可能となる。
【００１３】
【図面の簡単な説明】
【００１４】
【図１】本考案に係るマスク用保持具の全体を表す斜視図である。
【図２】本考案に係るマスク用保持具における環状部材を設ける短管状被覆材が保持具本体に固着された状態を示す図である。
【図３】本考案に係るマスク用保持具における環状部材を設ける短管状被覆材を示す平面図である。
【図４】本考案に係るマスク用保持具における環状部材を設ける短管状被覆材を示す側面図である。
【図５】本考案に係るマスク用保持具における環状部材を設ける短管状被覆材が開いた状態を示す側面図である。
【考案を実施するための形態】
【００１５】
添付図において、１は紐状体の保持具本体、２は連結具、３は短管状被覆部材、Ａは環状部材、Ｍはマスク、Ｃは装飾物である。
【００１６】
保持具本体１は、実施例にように、例えば、長さ４００ｍｍ程度の丸紐などが想定されるが、着用マスクを連結した状態において着用者の首部にかけることが可能となるストラップ機能が果たせる限り、当該実施形態に限定されるものではない。    
【００１７】
連結具２は、実施例のように、例えば、ばね片の開閉を介して着脱自在となるクリップ部材が想定されるが、着用マスクの紐部などとの連結が可能となる限り、具体的構成はかかる実施形態に限定されるものではない。    
【００１８】
短管状被覆部材３は、例えば、紐状体を呈する保持具本体１の先端部が、連結具２に対しループ状に係合している場合、連結具２に対し係合された保持具本体１の先端部と保持具本体１とを被覆することにより、連結具２と保持具本体１とを結合させるための部材である。
【００１９】
短管状被覆部材３は、例えば、管状本体において半円筒状の二つの分割体を開閉自在に構成し、各分割体に針状突起物Ｐを設けることにより、連結具２に対し係合された保持具本体１の先端部と保持具本体１を安定的に固着させることが可能となり、短管状の被覆部材として保持具本体１に固着されることになる。
【００２０】
環状部材Ａは、各種の装飾部を取り付け可能となるために、環状、すなわちリング状、輪状に形成される貫通孔を具える部材である。
【００２１】
また、環状部材Ａは、取り付け対象である装飾物に一般的に設けられている「カニカン」や「ボールチェーン」と称される着脱自在の結合部を介して連結可能となる受け部として機能する構成であれば足り、上記した円形状のみならず、貫通孔の外周形状は、矩形状、三角形状など各種形態が想定されるものである。
【００２２】
環状部材Ａは、紐状体を呈する保持具本体のいずれかの箇所に設けられるが、請求項３等に記載のとおり、図示の実施例においては保持具本体１の両端部に具えられる連結部２に連接する箇所に固着される短管状被覆材３に突設される形態が想定される。
【００２３】
上記の形態においては、連結具２に連接される短管状被覆部材３は着用者の両耳近辺に配置されることになり、短管状被覆部材３に設けられる環状部材Ａに装着される装飾物Ｃは、イヤリングなどのアクセサリーと同様に着用者の個性を演出することが可能となり、装飾物取り付け可能な他のストラップとは本質的に異なる機能を発揮することが可能となる。
【００２４】
【符号の説明】
【００２５】
１    保持具本体
２    連結具
３    短管状被覆材
Ａ    環状部材
Ｍ    マスク
Ｃ    装飾物
【図１】
0003230234.tif 000003
【図２】
0003230234.tif 000004
【図３】
0003230234.tif 000005
【図４】
0003230234.tif 000006
【図５】
0003230234.tif 000007